(57)【要約】  【課題】  容器の内において撹拌ユニットを設け、回動ユニットを利用して撹拌ユニットが飲料を撹拌するのを制御し、さらに引張りユニットを利用して撹拌ユニットが縦方向で飲料を往復に引張って撹拌することにより、飲料の撹拌の効率と顆粒の細かさを高めることができる。  【解決手段】  容器１、撹拌ユニット２、回動ユニット３と引張りユニット４により構成される。容器１には飲料を収容するための収容室１０が設けられる。撹拌ユニット２は収容室１０の内に設けられると共に、回動軸２１と少なくとも一個の撹拌片２２が設けられる。回動ユニット３は撹拌ユニット２の回動軸２１が回動するのを制御することにより、撹拌片２２は飲料を回動して撹拌する。引張りユニット４は撹拌ユニット２の回動軸２１が縦方向で往復に引張るのを制御することにより、撹拌片２２は縦方向で飲料を引張って撹拌するように構成されている。【選択図】    図２
2007195939.tif 000002
【特許請求の範囲】
【請求項１】
容器（１）、撹拌ユニット（２）、回動ユニット（３）および引張りユニット（４）により構成される飲料器の撹拌装置であって、容器（１）には飲料を収容するための収容室（１０）が設けられ、撹拌ユニット（２）は収容室（１０）の内に設けられ、さらに撹拌ユニット（２）には回動軸（２１）と少なくとも一個の撹拌片（２２）が設けられ、回動ユニット（３）は撹拌ユニット（２）の回動軸（２１）が回動するのを制御することにより、撹拌ユニット（２）の撹拌片（２２）は上記飲料を回動して撹拌し、引張りユニット（４）は撹拌ユニット（２）の回動軸（２１）が縦方向で往復に引張るのを制御することにより、撹拌ユニット（２）の撹拌片（２２）は縦方向で上記飲料を引張って撹拌することを特徴とする飲料器の撹拌装置。
【請求項２】
容器（１）の外部には他に熱交換管（１１）が設けられることにより、容器（１）の内の飲料の温度を変えることを特徴とする請求項１記載の飲料器の撹拌装置。
【請求項３】
容器（１）の内の底部には他に固定軸（１２）が設けられ、さらに回動軸（２１）の一端には他に挿入部（２１１）が形成され、固定軸（１２）はゆるみばめの方式で回動軸（２１）の挿入部（２１１）の内に挿入することができることを特徴とする請求項１記載の飲料器の撹拌装置。
【請求項４】
撹拌片（２２）は選択的に固設の結合またはゆるみばめの方式で回動軸（２１）に設けられることを特徴とする請求項１記載の飲料器の撹拌装置。
【請求項５】
引張りユニット（４）は回動ユニット（３）と撹拌ユニット（２）との間に設けられることを特徴とする請求項１記載の飲料器の撹拌装置。
【請求項６】
引張りユニット（４）には導引カバー（４１）、導引部材（４２）と少なくとも一個の導引棒（４３）が含まれ、導引カバー（４１）は容器（１）の一端の端面の外に固設され、導引部材（４２）は回動軸（２１）に嵌設し固定され、導引棒（４３）の中央部位は導引部材（４２）に固設し結合されることを特徴とする請求項１記載の飲料器の撹拌装置。
【請求項７】
導引カバー（４１）の内周壁面には他に導引溝（４１２）が凹むように設けられ、さらに導引棒（４３）の両端は導引カバー（４１）の導引溝（４１２）の内に伸入するように形成されることを特徴とする請求項６記載の飲料器の撹拌装置。
【請求項８】
導引棒（４３）の両端にはそれそれ転がし部材（４３１）が設けられることにより、導引溝（４１２）に沿って円滑に移動することができることを特徴とする請求項７記載の飲料器の撹拌装置。
【請求項９】
回動ユニット（３）には回動部材（３１）、駆動軸（３２）と駆動ジャケット（３３）が含まれ、回動部材（３１）は駆動軸（３２）の一端が回動するのを連動し、駆動ジャケット（３３）は駆動軸（３２）の他端に固設されることにより、引張りユニット（４）と撹拌ユニット（２）が回動するのを連動することができることを特徴とする請求項６記載の飲料器の撹拌装置。
【請求項１０】
回動ユニット（３）の駆動ジャケット（３３）には他に少なくとも一個の溝孔（３３１）が設けられ、引張りユニット（４）の導引棒（４３）はゆるみばめの方式で対応するように駆動ジャケット（３３）の溝孔（３３１）の内に収容されることにより、導引棒（４３）が回動するのを連動することができることを特徴とする請求項９記載の飲料器の撹拌装置。
【請求項１１】
回動ユニット（５）は引張りユニット（６）と撹拌ユニット（２）との間に設けられることを特徴とする請求項１記載の飲料器の撹拌装置。
【請求項１２】
回動ユニット（５）には導引カバー（５１）、導引部材（５２）と少なくとも一個の導引棒（５３）が含まれ、導引カバー（５１）は容器（１）の一端の端面の外に固設され、導引部材（５２）は回動軸（２１）の一端に固設し結合され、導引棒（５３）の一端は導引部材（５２）に固設し結合されることを特徴とする請求項１１記載の飲料器の撹拌装置。
【請求項１３】
導引カバー（５１）の内周壁面には導引溝（５１２）が凹むように設けられ、さらに導引棒（５３）の他端は導引カバー（５１）の導引溝（５１２）の内に伸入するように形成されることを特徴とする請求項１２記載の飲料器の撹拌装置。
【請求項１４】
引張りユニット（６）には引張り部材部材（６１）、駆動軸（６２）と駆動部材（６３）が含まれ、引張りユニット（６）は駆動軸（６２）の一端が縦方向へ往復に移動するのを連動し、駆動部材（６３）は駆動軸（６２）の他端に固設されることにより、引張りユニット（６）と撹拌ユニット（２）が回動するのを連動することができることを特徴とする請求項１２記載の飲料器の撹拌装置。
【請求項１５】
引張りユニット（６）の駆動部材（６３）は回動自在に回動ユニット（５）の導引部材（５２）の結合孔（５２１）の内に収容されることにより、回動ユニット（５）が回動するのを連動することができることを特徴とする請求項１４記載の飲料器の撹拌装置。
【請求項１６】
導引部材（５２）の結合孔（５２１）には内が広く外が狭くとの係止構造が形成されることにより、駆動部材（６３）が導引部材（５２）から脱落するのを避けることができることを特徴とする請求項１５記載の飲料器の撹拌装置。
【請求項１７】
回動ユニット（７）には回動部材（７１）、駆動軸（７２）、第一駆動ギア（７３）、非正円棒（７４）と第二駆動ギア（７５）が含まれ、回動部材（７１）は駆動軸（７２）が回動するのを連動し、第一駆動ギア（７３）は駆動軸（７２）に固設され、非正円棒（７４）は回動軸（２１）の一端に固設され、第二駆動ギア（７５）は移動自在に非正円棒（７４）に嵌設されることを特徴とする請求項１１記載の飲料器の撹拌装置。
【請求項１８】
第二駆動ギア（７５）の両端には二個の位置決め板（７５１）が設けられることにより、第一駆動ギア（７３）を挟んで保持することができることを特徴とする請求項１７記載の飲料器の撹拌装置。
【請求項１９】
引張りユニット（８）にはカム（８１）と弾性部材（８２）が設けられ、カム（８１）は駆動軸（７２）に固定し結合され、弾性部材（８２）は回動軸（２１）に嵌設され、そして弾性部材（８２）は非正円棒（７４）の他端と容器（１）の一端の端面との間に当接するように形成されることを特徴とする請求項１７記載の飲料器の撹拌装置。
【請求項２０】
回動ユニット（３、５、７）は選択的に容器（１）の外部または内部に設けられることを特徴とする請求項１記載の飲料器の撹拌装置。
【請求項２１】
引張りユニット（４、６、８）は選択的に容器（１）の外部または内部に設けられることを特徴とする請求項１記載の飲料器の撹拌装置。
【発明の詳細な説明】
【技術分野】
【０００１】
本発明は、飲料器の撹拌装置に関するもので、特に回動ユニットと引張りユニットを利用して撹拌ユニットを連動することにより、飲料を回動して撹拌したり縦方向で引張って撹拌したりすることができる飲料器の撹拌装置に係るものである。
【背景技術】
【０００２】
従来の飲料器の撹拌装置においては、アメリカ特許番号第４，９００，１５８号において容器、中空柱体、冷却単元、第一プロペラ、モーターと第二プロペラが含まれる。上記容器は飲料を収容するのに用いられる。上記中空柱体は上記容器の内に固設される。上記モーターは上記容器の外に設けられ、そして上記モーターは上記第一プロペラの一端を連動するのに用いられるため、上記第一プロペラは回動するように形成される。上記第一プロペラの他端には第一係止部が設けられる。上記第二プロペラの一端には対応するように第二係止部が設けられ、上記第二係止部は上記第一係止部と係止して結合する。上記第一係止部と第二係止部が互いに係止することにより、上記第一プロペラは同期的に上記第二プロペラを回動するように連動することができる。また、上記第一係止部と第二係止部にはそれぞれ反対方向に設置した螺旋状のはねが形成されることにより、上記容器内の飲料は上記中空柱体の内側と外側において反対方向に循環して流動するように形成されるため、混合かつ撹拌を行うことができるようにとしたものがある（例えば、特許文献１を参照）。
【特許文献１】アメリカ特許番号第４，９００，１５８号
【発明の開示】
【発明が解決しようとする課題】
【０００３】
上記のような従来の飲料器の撹拌装置においては、下記のような改善すべき問題点を有している。例えば、上記第一プロペラ、第二プロペラと中空柱体は同時に上記容器内に設けられることにより、上記容器の内部の空間を多く占めているため、上記容器の飲料の貯蔵量を相対的に減らしてしまうという問題点を有している。また、上記第一プロペラと第二プロペラは絶えずに上記飲料を循環して流動するように連動することにより、上記飲料が凝固して凍ってしまうのを防止することができるため、上記飲料が結氷する顆粒の大きさを制御することができるが、上記回動による循環流動の方式では固定およびスムースになり過ぎ、さらに上記第一プロペラと第二プロペラの螺旋状のはねでは結氷の顆粒の構造を破壊するのに欠けているため、上記装置では上記飲料の結氷の顆粒の大きさをさらに低く抑えることができず、そのために口当たりのよい綿密なグラニータ飲料を提供することができないという問題点を有している。このように、上記のような従来の飲料器の撹拌装置をさらに改良しなければならない。
【０００４】
本発明はこのような問題点に鑑みて発明したものであって、その目的とするところは、容器の内において撹拌ユニットを設け、そして回動ユニットを利用して上記撹拌ユニットが飲料を撹拌するのを制御し、さらに引張りユニットを利用して上記撹拌ユニットが縦方向で上記飲料を往復に引張って撹拌することにより、上記飲料の撹拌の効率と顆粒の細かさを高めることができる。また、上記撹拌ユニットを簡単にすることにより、上記容器の内部空間を相対的に増やすことができるため、より多くの飲料量を収容することができる飲料器の撹拌装置を提供しようとするものである。
【０００５】
本発明の第一の目的は、回動ユニットと引張りユニットを利用して撹拌ユニットを連動し、飲料を同時に回動して撹拌したり縦方向で引張って撹拌したりすることにより、上記飲料の撹拌の効率と顆粒の細かさを高めることができる飲料器の撹拌装置を提供しようとするものである。
【０００６】
本発明の第二の目的は、撹拌ユニットに少なくとも一個の撹拌片を設け、上記撹拌片に複数個の導引孔を設けることにより、飲料を縦方向へ流動するのを導引し、さらに上記飲料の顆粒の構造を破壊することができるため、グラニータ飲料の細かさを提供することができる飲料器の撹拌装置を提供しようとするものである。
【課題を解決するための手段】
【０００７】
上記目的を達成するために、本発明による飲料器の撹拌装置は、下記のようになるものである。すなわち、
容器、撹拌ユニット、回動ユニットおよび引張りユニットにより構成される。容器には飲料を収容するための収容室が設けられる。撹拌ユニットは収容室の内に設けられ、さらに撹拌ユニットには回動軸と少なくとも一個の撹拌片が設けられる。回動ユニットは撹拌ユニットの回動軸が回動するのを制御することにより、撹拌ユニットの撹拌片は飲料を回動して撹拌する。引張りユニットは撹拌ユニットの回動軸が縦方向で往復に引張るのを制御することにより、撹拌ユニットの撹拌片は縦方向で上記飲料を引張って撹拌する。
【０００８】
本発明による飲料器の撹拌装置は、容器の外部には他に熱交換管が設けられることにより、容器の内の飲料の温度を変えることもできる。また、容器の内の底部には他に固定軸が設けられ、さらに回動軸の一端には他に挿入部が形成され、固定軸はゆるみばめの方式で回動軸の挿入部の内に挿入することもできる。また、撹拌片は選択的に固設の結合またはゆるみばめの方式で回動軸に設けられることもできる。また、引張りユニットは回動ユニットと撹拌ユニットとの間に設けられることもできる。また、引張りユニットには導引カバー、導引部材と少なくとも一個の導引棒が含まれ、導引カバーは容器の一端の端面の外に固設され、導引部材は回動軸に嵌設し固定され、導引棒の中央部位は導引部材に固設し結合されることもできる。また、導引カバーの内周壁面には他に導引溝が凹むように設けられ、さらに導引棒の両端は導引カバーの導引溝の内に伸入するように形成されることもできる。また、導引棒の両端には転がし部材が設けられることにより、導引溝に沿って円滑に移動することもできる。また、回動ユニットには回動部材、駆動軸と駆動ジャケットが含まれ、回動部材は駆動軸の一端が回動するのを連動し、駆動ジャケットは駆動軸の他端に固設されることにより、引張りユニットと撹拌ユニットが回動するのを連動することもできる。また、回動ユニットの駆動ジャケットには他に少なくとも一個の溝孔が設けられ、引張りユニットの導引棒はゆるみばめの方式で対応するように駆動ジャケットの溝孔の内に収容されることにより、導引棒が回動するのを連動することもできる。また、回動ユニットは引張りユニットと撹拌ユニットとの間に設けられることもできる。また、回動ユニットには導引カバー、導引部材と少なくとも一個の導引棒が含まれ、導引カバーは容器の一端の端面の外に固設され、導引部材は回動軸の一端に固設し結合され、導引棒の一端は導引部材に固設し結合されることもできる。また、導引カバーの内周壁面には導引溝が凹むように設けられ、さらに導引棒の他端は導引カバーの導引溝の内に伸入するように形成されることもできる。また、引張りユニットには引張り部材部材、駆動軸と駆動部材が含まれ、引張りユニットは駆動軸の一端が縦方向へ往復に移動するのを連動し、駆動部材は駆動軸の他端に固設されることにより、引張りユニットと撹拌ユニットが回動するのを連動することもできる。また、引張りユニットの駆動部材は回動自在に回動ユニットの導引部材の結合孔の内に収容されることにより、回動ユニットが回動するのを連動することもできる。また、導引部材の結合孔には内が広く外が狭くとの係止構造が形成されることにより、駆動部材が導引部材から脱落するのを避けることもできる。また、回動ユニットには回動部材、駆動軸、第一駆動ギア、非正円棒と第二駆動ギアが含まれ、回動部材は駆動軸が回動するのを連動し、第一駆動ギアは駆動軸に固設され、非正円棒は回動軸の一端に固設され、第二駆動ギアは移動自在に非正円棒に嵌設されることもできる。また、第二駆動ギアの両端には二個の位置決め板が設けられることにより、第一駆動ギアを挟んで保持することもできる。また、引張りユニットにはカムと弾性部材が設けられ、カムは駆動軸に固定し結合され、弾性部材は回動軸に嵌設され、そして弾性部材は非正円棒の他端と容器の一端の端面との間に当接するように形成されることもできる。また、回動ユニットは選択的に容器の外部または内部に設けられることもできる。また、引張りユニットは選択的に容器の外部または内部に設けられることもできる。
【発明の効果】
【０００９】
本発明の飲料器の撹拌装置によれば、回動ユニットと引張りユニットを利用して撹拌ユニットを連動し、飲料を同時に回動して撹拌したり縦方向で引張って撹拌したりすることにより、上記飲料の撹拌の効率と顆粒の細かさを高めることができるという利点がある。
【００１０】
本発明の飲料器の撹拌装置によれば、撹拌ユニットに少なくとも一個の撹拌片を設け、上記撹拌片に複数個の導引孔を設けることにより、飲料を縦方向へ流動するのを導引し、さらに上記飲料の顆粒の構造を破壊することができるため、グラニータ飲料の細かさを提供することができるという利点がある。
【発明を実施するための最良の形態】
【００１１】
本発明の実施の形態について、以下、図面を参照して説明する。
【実施例１】
【００１２】
図１、２を参照すると、本発明の実施例１の飲料器の撹拌装置には容器１、撹拌ユニット２、回動ユニット３および引張りユニット４が含まれる。本発明の飲料器の撹拌装置は好ましくは冷飲料器の飲料を撹拌するのに用いられることにより、細かく結氷した顆粒を有する飲物をかき混ぜて製造する。例えば、シェークメーカー、グラニータメーカーまたはスムージーメーカーなどに応用することができる。さらに、他の実施例においては本発明の飲料器の撹拌装置を熱い飲料器の飲料の撹拌に応用することにより、熱い飲料が増稠するのを防止することができる。また、常温の飲料の撹拌に応用することにより、飲料中の成分を混合させることもできる。
【００１３】
再び図１、２を参照すると、本発明の実施例１の容器１には収容室１０、熱交換管１１と固定軸１２が設けられる。収容室１０は容器１の内部に形成されることにより、収容室１０に撹拌ユニット２を収容すると共に、飲料を注入することができる。熱交換管１１は容器１の外部に巻き付かれることにより、選択的に容器１の内の飲料を冷却したり加熱したりすることにより、選択的に上記飲料の温度を低く下げたり高く上げたりすることができる。固定軸１２は収容室１０の内の底部に直立するように設けられることにより、撹拌ユニット２を位置決めすることができる。
【００１４】
再び図１、２を参照すると、本発明の実施例１の撹拌ユニット２には回動軸２１と少なくとも一個の撹拌片２２が含まれる。回動軸２１は軸受（標示せず）により容器１の一端の端面に穿設されるため、回動軸２１は容器１に相対して回動および縦方向への移動を行うことができる。回動軸２１の一端（外端）は回動ユニット３と引張りユニット４の連動を受ける。回動軸２１の他端（内端）には挿入部２１１が形成される。組立時において、容器１の固定軸１２はゆるみばめの方式で回動軸２１の挿入部２１１の内に挿入することができるため、回動軸２１は予定された軸心の方向に沿って回動または縦方向への引張りの作動を確保することができる。撹拌片２２は選択的に固設の方式で回動軸２１に結合したり、または選択的にゆるみばめの方式で回動軸２１に結合したりすることができる。また、撹拌片２２には複数種類の導引孔２２１、２２２が設けられ、導引孔２２１、２２２はそれぞれ選択的に縦方向の開口または斜めの開口を形成することができるため、上記飲料を縦方向で導引したりまたは斜めに導引したりして流動させることができ、さらに上記飲料中の顆粒の構造を破壊するのに役立つことができる。
【００１５】
再び図１、２を参照すると、本発明の実施例１の回動ユニット３は製品の使用上の需要性に応じて選択的に容器１の外部または内部に設けることができる。回動ユニット３には回動部材３１、駆動軸３２と駆動ジャケット３３が含まれる。回動部材３１は好ましくはモーター、ギアユニット、エアシリンダまたはオイルシリンダなどから選択することにより、駆動軸３２の一端が回動するのを連動することができる。駆動軸３２は軸受（標示せず）により回動自在に引張りユニット４の適当な位置に穿設して通過することができる。駆動ジャケット３３は駆動軸３２の他端に固設され、駆動ジャケット３３には少なくとも一個の溝孔３３１が設けられることにより、引張りユニット４と撹拌ユニット２が回動するのを連動することができる。
【００１６】
再び図１、１Ａ、２を参照すると、本発明の実施例１の引張りユニット４は製品の使用上の需要性に応じて選択的に容器１の外部または内部に設けることができ、そして引張りユニット４は回動ユニット３と引張りユニット４との間に設けられる。引張りユニット４には導引カバー４１、導引部材４２と少なくとも一個の導引棒４３が含まれる。導引カバー４１は容器１の一端の端面の外に固設され、導引カバー４１には支持フレーム４１１と導引溝４１２が形成される。支持フレーム４１１は導引カバー４１の外側に直立するように設けられ、支持フレーム４１１は駆動軸３２が穿設するのに用いられる。導引溝４１２は導引カバー４１の内周壁面に巻くように凹んで設けられ、導引溝４１２は好ましくは波浪状の環状溝に形成される。導引部材４２は回動軸２１に嵌設し固定される。導引棒４３の中央部位は導引部材４２の外周面に固設し結合され、さらに導引棒４３の両端はそれぞれ対応するように導引カバー４１の導引溝４１２の内に伸入するように形成される。導引棒４３の他端には好ましくは転がし部材４３１が設けられることにより、導引棒４３は導引溝４１２に沿って円滑に移動することができる。また、導引棒４３はゆるみばめの方式で対応するように駆動ジャケット３３の溝孔３３１の内に収容されることにより、導引棒４３が回動するのを連動することができる。
【００１７】
再び図２を参照すると、本発明の実施例１の飲料器の撹拌装置を使用する時、先ず飲料を容器１の収容室１０の内に導入し、それから熱交換管１１を利用して選択的に上記飲料に対して冷却または加熱を行う。この時、回動ユニット３の回動部材３１は駆動軸３２と駆動ジャケット３３の溝孔３３１を経て引張りユニット４の導引棒４３を連動する。導引棒４３は直ちに導引部材４２を経て撹拌ユニット２の回動軸２１が回動するのを連動することにより、撹拌ユニット２の撹拌片２２は上記飲料を回動して撹拌することができるため、上記飲料の成分を均一に混ぜると共に、上記飲料が凝固したり増稠したりするのを防止することができる。
【００１８】
図３を参照すると、引張りユニット４の導引棒４３が回動すると同時に、導引棒４３の他端は導引カバー４１の導引溝４１２に沿って移動する。導引溝４１２は波浪状に形成されるため、導引棒４３が導引溝４１２の異なる位置に位置すると、縦方向の位置の差が生じる。これにより、導引棒４３は直ちに導引部材４２を経て回動軸２１を牽引して縦方向へ往復に移動し、さらに同期的に撹拌ユニット２の撹拌片２２を連動して縦方向で上記飲料を引張って撹拌する。この時、撹拌片２２の導引孔２２１は上記飲料を縦方向で導引したり斜めに導引したりして流動させることにより、上記飲料中の顆粒の構造を破壊し、さらに同様に上記飲料の成分を均一に混ぜると共に、上記飲料が凝固したり増稠したりするのを防止することができる。
【実施例２】
【００１９】
図４、５を参照すると、本発明の実施例２の飲料器の撹拌装置が掲示される。実施例１と比較してみると、実施例２において飲料器の撹拌装置には容器１、撹拌ユニット２、回動ユニット５と引張りユニット６が含まれる。容器１には同様に収容室１０、熱交換管１１と固定軸１２が含まれる。撹拌ユニット２にも同様に回動軸２１と少なくとも一個の撹拌片２２が含まれ、そして挿入部２１１を利用して回動自在に固定軸１２に結合することができる。撹拌片２２には少なくとも一種の導引孔２２１が設けられることにより、縦方向の開口を提供することができる。回動ユニット５は引張りユニット６と撹拌ユニット２との間に設けられる。回動ユニット５には導引カバー５１、導引部材５２と少なくとも一個の導引棒５３が含まれる。引張りユニット６には引張り部材６１、駆動軸６２と駆動部材６３が含まれる。また、回動ユニット５と引張りユニット６も同様に製品の使用上の需要性に応じて選択的に容器１の外部または内部に設けることができる。
【００２０】
再び図４、４Ａ、５を参照すると、本発明の実施例２の導引カバー５１は容器１の一端の端面の外に固設され、導引カバー５１には支持フレーム５１１と導引溝５１２が含まれる。支持フレーム５１１は導引カバー５１の外側に直立するように設けられ、支持フレーム５１１は駆動軸６２が穿設するのに用いられる。導引溝５１２は導引カバー５１の内周壁面に巻くように凹んで設けられ、導引溝５１２は好ましくはＶ字形の脈波状の環状溝に形成される。導引部材５２は回動軸２１の一端に嵌設し固定される。導引棒５３の一端は導引部材５２の外周面に固設し結合され、さらに導引棒５３の他端は導引カバー５１の導引溝５１２の内に伸入するように形成されることにより、導引棒５３は導引溝５１２に沿って移動することができる。導引部材５２には結合孔５２１が設けられ、結合孔５２１には内が広く外が狭くとの係止構造が形成される。引張り部材６１は好ましくはモーター、ギアユニット、エアシリンダまたはオイルシリンダなどから選択することにより、駆動軸６２の一端が回動するのを連動することができる。駆動軸６２は軸受（標示せず）により回動自在に回動ユニット５の支持フレーム５１１に穿設して通過することができる。駆動部材６３は駆動軸６２の他端に固設され、駆動部材６３は回動自在に導引部材５２の結合孔５２１の内に収容されることにより、回動ユニット５を連動することができる。この時、導引部材５２の結合孔５２１により駆動部材６３が導引部材５２から脱落するのを避けることができる。
【００２１】
再び図５を参照すると、本発明の実施例２の飲料器の撹拌装置を使用する時、先ず飲料を容器１の収容室１０の内に導入し、それから熱交換管１１を利用して選択的に上記飲料に対して冷却または加熱を行う。この時、引張りユニット６の引張り部材６１は駆動軸６２と駆動部材６３を経て回動ユニット５の導引部材５２を連動し、導引部材５２を経て撹拌ユニット２の回動軸２１を連動して往復に縦方向へ引張って移動させることにより、撹拌ユニット２の撹拌片２２は上記飲料を縦方向で引張って撹拌することができる。この時、撹拌ユニット２の撹拌片２２は上記飲料を縦方向へ導引して流動させることにより、上記飲料中の顆粒の構造を破壊すると共に、上記を飲料の成分を均一に混ぜ、さらに上記飲料が凝固したり増稠したりするのを防止することができる。
【００２２】
図６を参照すると、回動ユニット５の導引部材５２が縦方向で引張ると同時に、導引部材５２の他端は導引カバー５１の導引溝５１２に沿って移動する。導引溝５１２はＶ字形の脈波状に形成されるため、導引棒５３が導引溝５１２の異なる位置に位置すると、縦方向の位置の差が生じるだけではなく、導引溝５１２の牽引によって回動による移動を行うことができる。これにより、導引棒５３は直ちに導引部材５２を経て回動軸２１を牽引して回動し、さらに同期的に撹拌ユニット２の撹拌片２２を連動して上記飲料を回動して撹拌することにより、上記飲料の成分を均一に混ぜると共に、上記飲料が凝固したり増稠したりするのを防止することができる。
【実施例３】
【００２３】
図７、８を参照すると、本発明の実施例３の飲料器の撹拌装置が掲示される。実施例１、２と比較してみると、実施例３において飲料器の撹拌装置には容器１、撹拌ユニット２、回動ユニット７と引張りユニット８が含まれる。容器１には同様に収容室１０、熱交換管１１と固定軸１２が含まれる。撹拌ユニット２にも同様に回動軸２１と少なくとも一個の撹拌片２２’が含まれ、そして挿入部２１１を利用して回動自在に固定軸１２に結合することができる。撹拌片２２’には少なくとも一種の導引孔２２１’が設けられることにより、縦方向の開口を提供することができる。回動ユニット７には回動部材７１、駆動軸７２、第一駆動ギア７３、非正円棒７４と第二駆動ギア７５が含まれる。引張りユニット８にはカム８１と弾性部材８２が設けられる。また、回動ユニット７と引張りユニット８も同様に製品の使用上の需要性に応じて選択的に容器１の外部または内部に設けることができる。
【００２４】
再び図７、８を参照すると、本発明の実施例３の回動部材７１は好ましくはモーター、ギアユニット、エアシリンダまたはオイルシリンダなどから選択することにより、駆動軸７２の一端が回動するのを連動することができる。駆動軸７２は軸管（標示せず）により回動自在に容器１の一端の端面に直立するように設けられる。第一駆動ギア７３は駆動軸７２に固設される。非正円棒７４は回動軸２１の一端（外端）に固設され、非正円棒７４には第一当接端７４１と第二当接端７４２（図９を参照する）が形成される。第二駆動ギア７５は縦方向で移動自在に非正円棒７４に嵌設することにより、回動軸２１が回動するのを連動することができる。第二駆動ギア７５の両端には二個の位置決め板７５１が設けられ、二個の位置決め板７５１は第一駆動ギア７３を挟んで保持するのに用いられることにより、第一駆動ギア７３と第二駆動ギア７５との噛合いの関係をさらに確保することができる。また、カム８１は駆動軸７２に固定し結合され、カム８１は非正円棒７４の第一当接端７４１が当接するのに用いられる。弾性部材８２は回動軸２１に嵌設され、そして弾性部材８２の両端はそれぞれ非正円棒７４の第二当接端７４２と容器１の一端の端面との間に当接するように形成されることにより、弾性の偏圧を非正円棒７４に施すことができるため、非正円棒７４の第一当接端７４１とカム８１との当接の関係をさらに維持することができる。
【００２５】
再び図８を参照すると、本発明の実施例３の飲料器の撹拌装置を使用する時、先ず飲料を容器１の収容室１０の内に導入し、それから熱交換管１１を利用して選択的に上記飲料に対して冷却または加熱を行う。この時、回動ユニット７の回動部材７１は駆動軸７２と第一駆動ギア７３を経て第二駆動ギア７５と非正円棒７４を連動し、非正円棒７４を経て撹拌ユニット２の回動軸２１を連動することにより、撹拌ユニット２の撹拌片２２’は上記飲料を回動し撹拌することができるため、上記を飲料の成分を均一に混ぜ、さらに上記飲料が凝固したり増稠したりするのを防止することができる。
【００２６】
図９を参照すると、回動ユニット７の駆動軸７２が回動すると同時に、駆動軸７２はカムが回動するように連動する。カム８１の下表面が異なる縦方向の位置において非正円棒７４の第一当接端７４１を絶えずに押圧するため、非正円棒７４は縦方向へ往復に移動するように形成される。すなわち、カム８１が適当な角度に回動した時、カム８１が非正円棒７４を押圧する力は弾性部材８２から非正円棒７４に施される弾性の偏圧を克服することにより、非正円棒７４は縦方向へ容器１に近寄るように移動すると同時に、回動軸２１と撹拌片２２’が縦方向へ移動するのを連動する。さらに、カム８１がその他の適当な角度に回動した時、カム８１が非正円棒７４を押圧する力が小さくなり、弾性部材８２から非正円棒７４に施される弾性の偏圧を克服することができなくなると、弾性部材８２の弾性の偏圧により非正円棒７４を縦方向へ容器１から遠く離れるように移動させると共に、回動軸２１と撹拌片２２’がもう一つの方向へ縦方向へ移動するのを連動する。これにより、引張りユニット８は回動軸２１を牽引して絶えずに往復に縦方向へ引張って移動し、さらに同期的に撹拌ユニット２の撹拌片２２’を連動して上記飲料を縦方向で引張って撹拌することができる。この時、撹拌片２２’の導引孔２２１’は上記飲料を縦方向へ導引して流動させることにより、上記飲料中の顆粒の構造を破壊すると共に、上記を飲料の成分を均一に混ぜ、さらに上記飲料が凝固したり増稠したりするのを防止することができる。
【産業上の利用可能性】
【００２７】
上述の如く、従来の飲料器の撹拌装置によれば、第一プロペラと第二プロペラの回動による循環流動の方式では固定およびスムースになり過ぎ、さらに結氷の顆粒の構造を破壊するのに欠けているため、飲料の結氷の顆粒の大きさをさらに低く抑えることができないという問題点があったが、図２に示す本発明の飲料器の撹拌装置によれば、容器１の内に撹拌ユニット２を設け、さらに容器１の外に回動ユニット３と引張りユニット４を設け。回動ユニット３を利用して撹拌ユニット２が回転して飲料を撹拌するのを制御し、さらに引張りユニット４を利用して撹拌ユニット２が縦方向で往復に上記飲料を引張って撹拌することにより、上記飲料の撹拌の効率と顆粒の細かさを高めることができる。また、撹拌ユニット２を簡単にすることにより、容器１の内部空間を相対的に増やすことができるため、より多くの飲料量を収容することができる。
【００２８】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２９】
【図１】本発明の実施例１の飲料器の撹拌装置による組み立てられた状態を示す断面図である。
【図１Ａ】本発明の実施例１の飲料器の撹拌装置による導引カバーの伸展を説明する図である。
【図２】本発明の実施例１の飲料器の撹拌装置による組み立てられた状態と局部の断面を示す斜視図である。
【図３】本発明の実施例１の飲料器の撹拌装置による別の組み立てられた状態と局部の断面を示す斜視図である。
【図４】本発明の実施例２の飲料器の撹拌装置による組み立てられた状態を示す断面図である。
【図４Ａ】本発明の実施例２の飲料器の撹拌装置による導引カバーの伸展を説明する図である。
【図５】本発明の実施例２の飲料器の撹拌装置による組み立てられた状態と局部の断面を示す斜視図である。
【図６】本発明の実施例２の飲料器の撹拌装置による別の組み立てられた状態と局部の断面を示す斜視図である。
【図７】本発明の実施例３の飲料器の撹拌装置による組み立てられた状態を示す断面図である。
【図８】本発明の実施例３の飲料器の撹拌装置による組み立てられた状態と局部の断面を示す斜視図である。
【図９】本発明の実施例３の飲料器の撹拌装置による別の組み立てられた状態と局部の断面を示す斜視図である。
【符号の説明】
【００３０】
１    容器                          １０    収容室
１１    熱交換管                      １２    固定軸
２    撹拌ユニット                  ２１    回動軸
２１１    挿入部                        ２２    撹拌片
２２’  撹拌はね                    ２２１    導引孔
２２１’  導引孔                      ２２２    導引孔
３    回動ユニット                  ３１    回動部材
３２    駆動軸                        ３３    駆動ジャケット
３３１    溝孔                            ４    引張りユニット
４１    導引カバー                  ４１１    支持フレーム
４１２    導引溝                        ４２    導引部材
４３    導引棒                      ４３１    転がし部材
５    回動ユニット                  ５１    導引カバー
５１１    支持フレーム                ５１２    導引溝
５２    導引部材                    ５２１    結合孔
５３    導引棒                          ６    引張りユニット
６１    引張り部材                    ６２    駆動軸
６３    駆動部材                        ７    回動ユニット
７１    回動部材                      ７２    駆動軸
７３    第一駆動ギア                  ７４    非正円棒
７４１    第一当接端                  ７４２    第二当接端
７５    第二駆動ギア                ７５１    位置決め板
８    引張りユニット                ８１    カム
８２    弾性部材
【図１】
2007195939.tif 000003
【図１Ａ】
2007195939.tif 000004
【図２】
2007195939.tif 000005
【図３】
2007195939.tif 000006
【図４】
2007195939.tif 000007
【図４Ａ】
2007195939.tif 000008
【図５】
2007195939.tif 000009
【図６】
2007195939.tif 000010
【図７】
2007195939.tif 000011
【図８】
2007195939.tif 000012
【図９】
2007195939.tif 000013